(57)【要約】【課題】デジタルテレビジョン受像機の操作に馴染みにくいユーザーであっても、緊急時に戸惑うことなく緊急放送を視聴できる状態に到ることができ、且つ、無人状態で電源が自動投入される虞のない緊急放送受信サポートシステムを提供する。【解決手段】デジタルテレビジョン受像機１００が緊急放送が放送されていることを検出すると、対応するリモートコントローラ２００に操作要求を発し、リモートコントローラ２００側では、この操作要求に応じて逐一の押しボタン操作を案内する表示を該当する押しボタン（２１１，２１２，２１３，…）を逐次発光ないし点滅させて行ってユーザーをガイドし、電源をオンにする操作（ステップＳ２０７）もユーザーからの操作を俟って実行する。【選択図】図２
2007214945.tif 000002
【特許請求の範囲】
【請求項１】
テレビジョン放送を受信する受信部と、前記受信部で受信されたテレビジョン放送の受信信号に含まれる緊急放送であることを表す緊急指標情報に基づいて緊急放送が放送されていることを検出する緊急放送検出部と、前記緊急放送検出部の出力に基づいて対応するリモートコントローラに当該緊急放送の視聴を可能にするための当該リモートコントローラ自体の操作を促す案内動作を実行させる操作要求指令を発する本体側通信部と、当該リモートコントローラからのリモートコントロール信号を受信するリモートコントロール信号受信部と、前記リモートコントロール信号受信部で受信されたリモートコントロール信号に対応した所定の動作および前記本体側通信部の動作に係る制御を実行するための制御部と、を備えたテレビジョン受像機と、
前記テレビジョン受像機からの前記操作要求指令を受信するリモートコントローラ側通信部と、前記リモートコントローラ側通信部で受信した操作要求指令に応答して緊急放送の視聴を可能にするための当該リモートコントローラ自体の操作をユーザーに促す案内動作を実行するための制御を行う制御部と、前記制御部による制御下でユーザーに対する該案内動作を行う操作案内部と、前記操作案内部による案内動作に応じてユーザーによる操作が行われたときには前記制御部の制御下で前記テレビジョン受像機を操作するためのリモートコントロール信号を発するリモートコントロール信号発信部と、を備えたリモートコントローラと、
を含んで構成されることを特徴とする緊急放送受信サポートシステム。
【請求項２】
テレビジョン放送を受信する受信部と、前記受信部で受信されたテレビジョン放送の受信信号に含まれる緊急放送であることを表す緊急指標情報に基づいてを緊急放送が放送されていることを検出する緊急放送検出部と、前記緊急放送検出部の出力に基づいて対応するリモートコントローラに当該緊急放送の視聴を可能にするための当該リモートコントローラ自体の操作を促す案内動作を実行させる操作要求指令を発する本体側通信部と、当該リモートコントローラからのリモートコントロール信号を受信するリモートコントロール信号受信部と、前記リモートコントロール信号受信部で受信されたリモートコントロール信号に応答して当該緊急放送の視聴を可能にするための動作および前記本体側通信部の動作に係る制御を実行するための制御部と、を備えたテレビジョン受像機。
【請求項３】
対応するテレビジョン受像機から緊急放送の視聴を可能にするための操作を促す案内動作を実行させる操作要求指令を受信するリモートコントローラ側通信部と、前記リモートコントローラ側通信部で受信した操作要求指令に応答して緊急放送の視聴を可能にするための当該リモートコントローラ自体の操作をユーザーに促す案内動作を実行するための制御を行う制御部と、前記制御部による制御下でユーザーに対する該案内動作を行う操作案内部と、前記操作案内部による案内動作に応じてユーザーによる操作が行われたときには前記制御部の制御下で前記テレビジョン受像機を操作するためのリモートコントロール信号を発するリモートコントロール信号発信部と、を備えたリモートコントローラ。
【請求項４】
前記テレビジョン受像機の制御部は、前記リモートコントロール信号受信部で受信される逐次のリモートコントロール信号に応じて所定の動作を行うための制御を実行すると共に当該緊急放送の視聴を可能にするための段階的動作における現段階の動作の次段の動作のための操作要求指令を前記本体側通信部から前記リモートコントローラ側に逐次発信させるよう制御することを特徴とする請求項１に記載の緊急放送受信サポートシステム。
【請求項５】
前記テレビジョン受像機の制御部は、前記リモートコントロール信号受信部で受信される逐次のリモートコントロール信号に応じて所定の動作を行うための制御を実行すると共に、当該実行された制御によっては緊急放送の視聴を可能にするための所定の段階的動作が適切に完了しないときには、当該所定の段階的動作に対応した操作要求指令を前記本体側通信部から繰り返し発信させ、当該実行された制御によって緊急放送の視聴を可能にするための所定の段階的動作が適切に完了したきには、当該所定の段階的動作における現段階の動作の次段の動作に対応した操作要求指令を前記本体側通信部から逐次発信させるよう制御することを特徴とする請求項１に記載の緊急放送受信サポートシステム。
【請求項６】
前記リモートコントローラの操作案内部は、該当する操作子を発光ないし点滅させるようにして案内動作を実行するように構成されていることを特徴とする請求項１に記載の緊急放送受信サポートシステム。
【請求項７】
前記制御部は、前記リモートコントロール信号受信部で受信される逐次のリモートコントロール信号に応じて所定の動作を行うための制御を実行すると共に当該緊急放送の視聴を可能にするための段階的動作における現段階の動作の次段の動作のための操作要求指令を前記本体側通信部から前記リモートコントローラ側に逐次発信させるよう制御することを特徴とする請求項２に記載のテレビジョン受像機。
【請求項８】
前記制御部は、前記リモートコントロール信号受信部で受信される逐次のリモートコントロール信号に応じて所定の動作を行うための制御を実行すると共に、当該実行された制御によっては緊急放送の視聴を可能にするための所定の段階的動作が適切に完了しないときには、当該所定の段階的動作に対応した操作要求指令を前記本体側通信部から逐次発信させ、当該実行された制御によって緊急放送の視聴を可能にするための所定の段階的動作が適切に完了したきには、当該所定の段階的動作における現段階の動作の次段の動作に対応した操作要求指令を前記本体側通信部から逐次発信させるよう制御することを特徴とする請求項２に記載のテレビジョン受像機。
【請求項９】
前記操作案内部は、該当する操作子を発光ないし点滅させるようにして案内動作を実行するように構成されていることを特徴とする請求項３に記載のリモートコントローラ。
【請求項１０】
放送を受信する受信部と、前記受信部で受信された放送の受信信号に含まれる緊急放送であることを表す緊急指標情報に基づいて緊急放送が放送されていることを検出する緊急放送検出部と、前記緊急放送検出部の出力に基づいて対応するリモートコントローラに当該緊急放送の視聴を可能にするための当該リモートコントローラ自体の操作を促す案内動作を実行させる操作要求指令を発する本体側通信部と、当該リモートコントローラからのリモートコントロール信号を受信するリモートコントロール信号受信部と、前記リモートコントロール信号受信部で受信されたリモートコントロール信号に対応した所定の動作および前記本体側通信部の動作に係る制御を実行するための制御部と、を備えた放送受信装置と、
前記放送受信装置からの前記操作要求指令を受信するリモートコントローラ側通信部と、前記リモートコントローラ側通信部で受信したリモートコントロール信号に応答して緊急放送の視聴を可能にするための当該リモートコントローラ自体の操作をユーザーに促す案内動作を実行するための制御を行う制御部と、前記制御部による制御下でユーザーに対する当該案内動作を行う操作案内部と、前記操作案内部による案内動作に応じてユーザーによる操作が行われたときには前記制御部の制御下で前記放送受信装置を操作するためのリモートコントロール信号を発するリモートコントロール信号発信部と、を備えたリモートコントローラと、
を含んで構成されることを特徴とする緊急放送受信サポートシステム。
【請求項１１】
前記放送受信装置の制御部は、前記リモートコントロール信号受信部で受信される逐次のリモートコントロール信号に応じて所定の動作を行うための制御を実行すると共に当該緊急放送の視聴を可能にするための段階的動作における現段階の動作の次段の動作のための操作要求指令を前記本体側通信部から前記リモートコントローラ側に逐次発信させるよう制御することを特徴とする請求項１０に記載の緊急放送受信サポートシステム。
【請求項１２】
前記放送受信装置の制御部は、前記リモートコントロール信号受信部で受信される逐次のリモートコントロール信号に応じて所定の動作を行うための制御を実行すると共に、当該実行された制御によっては緊急放送の視聴を可能にするための所定の段階的動作が適切に完了しないときには、当該所定の段階的動作に対応した操作要求指令を前記本体側通信部から逐次発信させ、当該実行された制御によって緊急放送の視聴を可能にするための所定の段階的動作が適切に完了したきには、当該所定の段階的動作における現段階の動作の次段の動作に対応した操作要求指令を前記本体側通信部から逐次発信させるよう制御することを特徴とする請求項１０に記載の緊急放送受信サポートシステム。
【請求項１３】
前記リモートコントローラの操作案内部は、該当する操作子を発光ないし点滅させるようにして案内動作を実行するように構成されていることを特徴とする請求項１０に記載の緊急放送受信サポートシステム。
【発明の詳細な説明】
【技術分野】
【０００１】
本発明は、例えばデジタルテレビジョン受像機とこれに対応するリモートコントローラで構成されるシステムにおいて、特に、緊急放送を適正に受信するためのユーザーの操作をサポートする緊急放送受信サポートシステム、および、このシステムに適合するテレビジョン受像機、ならびに、リモートコントローラに関する。
【背景技術】
【０００２】
デジタルテレビジョン放送では、災害発生時に緊急放送が放送される。しかしながら、情報（データ）の受信手順の複雑化、加えて、リモートコントローラの高機能化による操作ボタンの増加等により、被災してパニックに陥ったユーザーや、データ放送の受信操作に不慣れなユーザー、或いは、この種の複雑化した装置に馴染みの薄い高齢のユーザー等にとっては、必要なときに直ちに緊急放送を視聴できる状態に辿り着くのは容易ではない。
【０００３】
一方、テレビジョン放送を受信する機能を搭載したパーソナルコンピュータにおいて、電源がオフ状態にあっても、緊急放送が確認されると直ちにパーソナルコンピュータを起動して緊急放送を受信し、警報を発するようにしようといった技術は既に提案されている。
この提案では、テレビジョンチューナ回路が緊急放送を感知したときには直ちにテレビジョンチューナ回路から電源制御マイクロコンピュータに信号を送り、この電源制御マイクロコンピュータが電源をオンにする制御を行うというものである（特許文献１参照）。
【０００４】
また、文字放送による緊急放送が放送されていることを表す番組のパケットコードが検出されたときには自動的にその番組の映像信号をテレビジョン受像機画面に映し出すようにするといった技術も提案されている（特許文献２参照）。
【特許文献１】特開平１１−０５３０６６号公報（段落０００６、段落００１４、図１）
【特許文献２】特開平１０−１４５７５１号公報（段落０００６、段落００１２、図１）
【発明の開示】
【発明が解決しようとする課題】
【０００５】
上述のように、被災してパニックに陥ったユーザーや、データ放送の受信操作に不慣れなユーザー、或いは、この種の複雑化した装置に馴染みの薄い高齢のユーザー等にとっては、必要なときに直ちに緊急放送を視聴できる状態に辿り着くのは容易ではないが、かといって、緊急放送があったときに、上掲の特許文献１や特許文献２所載の提案のように、緊急放送を視聴するユーザー等が近くにいるか否かによらずに一律に電源をオンにしてテレビジョン受像機等の電子機器を作動状態にするということも必ずしも全面的に望ましいこととは言えない面もある。
【０００６】
即ち、住人が不在となっている場所でこれらの電子機器の電源が自動的にオンになって、それ以降無人状態の環境でその作動を継続するといった不都合が生じた場合はどうするかといった新たな課題が派生する。
本発明は、上述したような緊急放送受信のシステムにおける新たな課題に着目してなされたものであり、無人状態の環境でテレビジョン受像機等の緊急放送受信装置ないしシステムが自動起動してその作動を継続するといった不都合が生じてしまう虞がなく、且つ、被災してパニックに陥ったユーザーやこの種の複雑化した装置に馴染みの薄いユーザー等であっても必要なときに直ちに緊急放送を視聴できる状態に辿り着くまでの操作を確実に行うことのできる緊急放送受信サポートシステム、テレビジョン受像機、および、リモートコントローラを提供することを目的とする。
【課題を解決するための手段】
【０００７】
上記課題を解決するべく、本願では次に列記するような技術を提案する。
（１）テレビジョン放送を受信する受信部と、前記受信部で受信されたテレビジョン放送の受信信号に含まれる緊急放送であることを表す緊急指標情報に基づいて緊急放送が放送されていることを検出する緊急放送検出部と、前記緊急放送検出部の出力に基づいて対応するリモートコントローラに当該緊急放送の視聴を可能にするための当該リモートコントローラ自体の操作を促す案内動作を実行させる操作要求指令を発する本体側通信部と、当該リモートコントローラからのリモートコントロール信号を受信するリモートコントロール信号受信部と、前記リモートコントロール信号受信部で受信されたリモートコントロール信号に対応した所定の動作および前記本体側通信部の動作に係る制御を実行するための制御部と、を備えたテレビジョン受像機と、
前記テレビジョン受像機からの前記操作要求指令を受信するリモートコントローラ側通信部と、前記リモートコントローラ側通信部で受信した操作要求指令に応答して緊急放送の視聴を可能にするための当該リモートコントローラ自体の操作をユーザーに促す案内動作を実行するための制御を行う制御部と、前記制御部による制御下でユーザーに対する該案内動作を行う操作案内部と、前記操作案内部による案内動作に応じてユーザーによる操作が行われたときには前記制御部の制御下で前記テレビジョン受像機を操作するためのリモートコントロール信号を発するリモートコントロール信号発信部と、を備えたリモートコントローラと、
を含んで構成されることを特徴とする緊急放送受信サポートシステム。
【０００８】
上記（１）の緊急放送受信サポートシステムでは、テレビジョン受像機とこれに対応するリモートコントローラを含んでこのシステムが構成され、
テレビジョン受像機は、受信部でテレビジョン放送を受信し、緊急放送検出部が該受信されたテレビジョン放送の受信信号に含まれる緊急放送であることを表す緊急指標情報に基づいて緊急放送が放送されていることを検出する。
【０００９】
次いで、本体側通信部が、上記緊急放送検出部の出力に基づいてテレビジョン受像機に対応するリモートコントローラに、当該緊急放送の視聴を可能にするための例えば電源をオンにするための操作子を操作する等の当該リモートコントローラ自体の操作を促す案内動作を実行させるための操作要求指令を発する。
【００１０】
テレビジョン受像機側の制御部は、当該リモートコントローラからのリモートコントロール信号を受信するリモートコントロール信号受信部と、このリモートコントロール信号受信部で受信されたリモートコントロール信号に対応した所定の動作および前記本体側通信部の動作に係る制御を実行する。
リモートコントローラは、リモートコントローラ側通信部でテレビジョン受像機からの操作要求指令を受信する。
【００１１】
次いで、制御部が、このリモートコントローラ側通信部で受信した操作要求指令に応答して緊急放送の視聴を可能にするための例えば電源をオンにするための操作子を操作する等のリモートコントローラ自体の操作をユーザーに促す案内動作を実行するための制御を行う。
操作案内部ではこのような制御部による制御下でユーザーに対する例えば電源をオンにするための操作子にユーザーの目を引き付けるような案内動作を行う。
リモートコントロール信号発信部では、操作案内部による案内動作に応じてユーザーによる操作が行われたときには、上記制御部による制御下で、テレビジョン受像機を操作するためのリモートコントロール信号を発する。
【００１２】
（２）テレビジョン放送を受信する受信部と、前記受信部で受信されたテレビジョン放送の受信信号に含まれる緊急放送であることを表す緊急指標情報に基づいてを緊急放送が放送されていることを検出する緊急放送検出部と、前記緊急放送検出部の出力に基づいて対応するリモートコントローラに当該緊急放送の視聴を可能にするための当該リモートコントローラ自体の操作を促す案内動作を実行させる操作要求指令を発する本体側通信部と、当該リモートコントローラからのリモートコントロール信号を受信するリモートコントロール信号受信部と、前記リモートコントロール信号受信部で受信されたリモートコントロール信号に応答して当該緊急放送の視聴を可能にするための動作および前記本体側通信部の動作に係る制御を実行するための制御部と、を備えたテレビジョン受像機。
【００１３】
上記（２）のテレビジョン受像機では、受信部でテレビジョン放送を受信し、緊急放送検出部が該受信されたテレビジョン放送の受信信号に含まれる緊急放送であることを表す緊急指標情報に基づいて緊急放送が放送されていることを検出する。
【００１４】
次いで、本体側通信部が、上記緊急放送検出部の出力に基づいてテレビジョン受像機に対応するリモートコントローラに、当該緊急放送の視聴を可能にするための例えば電源をオンにするための操作子を操作する等の当該リモートコントローラ自体の操作を促す案内動作を実行させるための操作要求指令を発する。
制御部が、リモートコントロール信号受信部で受信されたリモートコントロール信号に応答して当該緊急放送の視聴を可能にするための動作、および、上記本体側通信部の動作に係る制御を実行する。
【００１５】
（３）対応するテレビジョン受像機から緊急放送の視聴を可能にするための操作を促す案内動作を実行させる操作要求指令を受信するリモートコントローラ側通信部と、前記リモートコントローラ側通信部で受信した操作要求指令に応答して緊急放送の視聴を可能にするための当該リモートコントローラ自体の操作をユーザーに促す案内動作を実行するための制御を行う制御部と、前記制御部による制御下でユーザーに対する該案内動作を行う操作案内部と、前記操作案内部による案内動作に応じてユーザーによる操作が行われたときには前記制御部の制御下で前記テレビジョン受像機を操作するためのリモートコントロール信号を発するリモートコントロール信号発信部と、を備えたリモートコントローラ。
【００１６】
上記（３）のリモートコントローラでは、リモートコントローラ側通信部で、対応するテレビジョン受像機からの緊急放送の視聴を可能にするための操作を促す案内動作を実行させる操作要求指令を受信する。
【００１７】
次いで、制御部が、このリモートコントローラ側通信部で受信したテレビジョン受像機からの操作要求指令に応答して緊急放送の視聴を可能にするための例えば電源をオンにするための操作子を操作する等のリモートコントローラ自体の操作をユーザーに促す案内動作を実行するための制御を行う。
【００１８】
操作案内部ではこのような制御部による制御下でユーザーに対する例えば電源をオンにするための操作子にユーザーの目を引き付けるような案内動作を行う。
リモートコントロール信号発信部では、操作案内部による案内動作に応じてユーザーによる操作が行われたときには、上記制御部による制御下で、テレビジョン受像機を操作するためのリモートコントロール信号を発する。
【００１９】
（４）前記テレビジョン受像機の制御部は、前記リモートコントロール信号受信部で受信される逐次のリモートコントロール信号に応じて所定の動作を行うための制御を実行すると共に当該緊急放送の視聴を可能にするための段階的動作における現段階の動作の次段の動作のための操作要求指令を前記本体側通信部から前記リモートコントローラ側に逐次発信させるよう制御することを特徴とする（１）の緊急放送受信サポートシステム。
【００２０】
上記（４）の緊急放送受信サポートシステムでは、（１）の緊急放送受信サポートシステムにおいて特に、テレビジョン受像機の制御部は、リモートコントロール信号受信部で受信される、例えば当初は電源をオンにするための信号などである、逐次のリモートコントロール信号に応じて所定の動作を行うための制御を実行すると共に当該緊急放送の視聴を可能にするための段階的動作に対応した、例えば電源をオンにするという現段階の動作に次ぐ放送波の切替動作等の、次段の動作のための操作要求指令をテレビジョン受像機の本体側通信部からリモートコントローラ側に逐次発信させるよう制御する。
【００２１】
（５）前記テレビジョン受像機の制御部は、前記リモートコントロール信号受信部で受信される逐次のリモートコントロール信号に応じて所定の動作を行うための制御を実行すると共に、当該実行された制御によっては緊急放送の視聴を可能にするための所定の段階的動作が適切に完了しないときには、当該所定の段階的動作に対応した操作要求指令を前記本体側通信部から繰り返し発信させ、当該実行された制御によって緊急放送の視聴を可能にするための所定の段階的動作が適切に完了したきには、当該所定の段階的動作の次段の動作に対応した操作要求指令を前記本体側通信部から逐次発信させるよう制御することを特徴とする（１）の緊急放送受信サポートシステム。
【００２２】
上記（５）の緊急放送受信サポートシステムでは、（１）の緊急放送受信サポートシステムにおいて特に、テレビジョン受像機の制御部は、そのリモートコントロール信号受信部で受信される、例えば或る段階では放送波の切替動作等の指示である、逐次のリモートコントロール信号に応じて所定の動作を行うための制御を実行すると共に、当該実行された制御によっては緊急放送の視聴を可能にするための、例えば放送波の切替動作等の、所定の段階的動作が適切に完了しないときには、当該所定の段階的動作に対応した操作要求指令を前記本体側通信部から繰り返し発信させ、当該実行された制御によって緊急放送の視聴を可能にするための所定の段階的動作が適切に完了したきには、当該所定の段階的動作における現段階の動作の次段の、例えばチャンネル切替のような、動作に対応した操作要求指令を本体側通信部から逐次発信させるよう制御する。
【００２３】
（６）前記リモートコントローラの操作案内部は、該当する操作子を発光ないし点滅させるようにして案内動作を実行するように構成されていることを特徴とする（１）の緊急放送受信サポートシステム。
上記（６）の緊急放送受信サポートシステムでは、（１）の緊急放送受信サポートシステムにおいて特に、リモートコントローラの操作案内部は、例えば半透明の部材の内部に発光素子を備えるような構造の操作ボタン等の、該当する操作子を、発光ないし点滅させるようにして案内動作を実行するように構成されているため、ユーザーはその時点で行うべき操作を瞬時に理解し戸惑うことなく操作を行うことができる。
【００２４】
（７）前記制御部は、前記リモートコントロール信号受信部で受信される逐次のリモートコントロール信号に応じて所定の動作を行うための制御を実行すると共に当該緊急放送の視聴を可能にするための段階的動作における現段階の動作の次段の動作のための操作要求指令を前記本体側通信部から前記リモートコントローラ側に逐次発信させるよう制御することを特徴とする（２）のテレビジョン受像機。
【００２５】
上記（７）のテレビジョン受像機では、（２）のテレビジョン受像機において特に、制御部は、リモートコントロール信号受信部で受信される、例えば当初は電源をオンにするための信号などである、逐次のリモートコントロール信号に応じて所定の動作を行うための制御を実行すると共に当該緊急放送の視聴を可能にするための段階的動作に対応した、例えば電源をオンにするといった現段階の動作に次ぐ放送波の切替動作等の、次段の動作のための操作要求指令をテレビジョン受像機の本体側通信部からリモートコントローラ側に逐次発信させるよう制御する。
【００２６】
（８）前記制御部は、前記リモートコントロール信号受信部で受信される逐次のリモートコントロール信号に応じて所定の動作を行うための制御を実行すると共に、当該実行された制御によっては緊急放送の視聴を可能にするための所定の段階的動作が適切に完了しないときには、当該所定の段階的動作に対応した操作要求指令を前記本体側通信部から逐次発信させ、当該実行された制御によって緊急放送の視聴を可能にするための所定の段階的動作が適切に完了したきには、当該所定の段階的動作の次段の動作に対応した操作要求指令を前記本体側通信部から逐次発信させるよう制御することを特徴とする（２）のテレビジョン受像機。
【００２７】
上記（８）のテレビジョン受像機では、（２）のテレビジョン受像機において特に、そのリモートコントロール信号受信部で受信される、例えば或る段階では放送波の切替動作等の指示である、逐次のリモートコントロール信号に応じて所定の動作を行うための制御を実行すると共に、当該実行された制御によっては緊急放送の視聴を可能にするための、例えば放送波の切替動作等の、所定の段階的動作が適切に完了しないときには、当該所定の段階的動作に対応した操作要求指令を前記本体側通信部から繰り返し発信させ、当該実行された制御によって緊急放送の視聴を可能にするための所定の段階的動作が適切に完了したきには、当該所定の段階的動作における現段階の動作の次段の、例えばチャンネル切替のような、動作に対応した操作要求指令を本体側通信部から逐次発信させるよう制御する。
【００２８】
（９）前記操作案内部は、該当する操作子を発光ないし点滅させるようにして案内動作を実行するように構成されていることを特徴とする（３）のリモートコントローラ。
【００２９】
（１０）放送を受信する受信部と、前記受信部で受信された放送の受信信号に含まれる緊急放送であることを表す緊急指標情報に基づいて緊急放送が放送されていることを検出する緊急放送検出部と、前記緊急放送検出部の出力に基づいて対応するリモートコントローラに当該緊急放送の視聴を可能にするための当該リモートコントローラ自体の操作を促す案内動作を実行させる操作要求指令を発する本体側通信部と、当該リモートコントローラからのリモートコントロール信号を受信するリモートコントロール信号受信部と、前記リモートコントロール信号受信部で受信されたリモートコントロール信号に対応した所定の動作および前記本体側通信部の動作に係る制御を実行するための制御部と、を備えた放送受信装置と、
前記放送受信装置からの前記操作要求指令を受信するリモートコントローラ側通信部と、前記リモートコントローラ側通信部で受信したリモートコントロール信号に応答して緊急放送の視聴を可能にするための当該リモートコントローラ自体の操作をユーザーに促す案内動作を実行するための制御を行う制御部と、前記制御部による制御下でユーザーに対する当該案内動作を行う操作案内部と、前記操作案内部による案内動作に応じてユーザーによる操作が行われたときには前記制御部の制御下で前記放送受信装置を操作するためのリモートコントロール信号を発するリモートコントロール信号発信部と、を備えたリモートコントローラと、
を含んで構成されることを特徴とする緊急放送受信サポートシステム。
【００３０】
上記（１０）の緊急放送受信サポートシステムでは、例えばテレビジョン受像機やセットトップボックス或いはデジタルテレビチューナ内蔵型ＨＤＤレコーダ等の、放送受信装置とこれに対応するリモートコントローラを含んでこのシステムが構成され、
放送受信装置は、受信部でテレビジョン放送を受信し、緊急放送検出部が該受信されたテレビジョン放送の受信信号に含まれる緊急放送であることを表す緊急指標情報に基づいて緊急放送が放送されていることを検出する。
【００３１】
次いで、本体側通信部が、上記緊急放送検出部の出力に基づいて放送受信装置に対応するリモートコントローラに、当該緊急放送の視聴を可能にするための例えば電源をオンにするための操作子を操作する等の当該リモートコントローラ自体の操作を促す案内動作を実行させるための操作要求指令を発する。
【００３２】
放送受信装置側の制御部は、当該リモートコントローラからのリモートコントロール信号を受信するリモートコントロール信号受信部と、このリモートコントロール信号受信部で受信されたリモートコントロール信号に対応した所定の動作および前記本体側通信部の動作に係る制御を実行する。
リモートコントローラは、リモートコントローラ側通信部で放送受信装置からの操作要求指令を受信する。
【００３３】
次いで、制御部が、このリモートコントローラ側通信部で受信した操作要求指令に応答して緊急放送の視聴を可能にするための例えば電源をオンにするための操作子を操作する等のリモートコントローラ自体の操作をユーザーに促す案内動作を実行するための制御を行う。
操作案内部ではこのような制御部による制御下でユーザーに対する例えば電源をオンにするための操作子にユーザーの目を引き付けるような案内動作を行う。
リモートコントロール信号発信部では、操作案内部による案内動作に応じてユーザーによる操作が行われたときには、上記制御部による制御下で、放送受信装置を操作するためのリモートコントロール信号を発する。
【００３４】
（１１）前記放送受信装置の制御部は、前記リモートコントロール信号受信部で受信される逐次のリモートコントロール信号に応じて所定の動作を行うための制御を実行すると共に当該緊急放送の視聴を可能にするための段階的動作における現段階の動作の次段の動作のための操作要求指令を前記本体側通信部から前記リモートコントローラ側に逐次発信させるよう制御することを特徴とする（１０）の緊急放送受信サポートシステム。
【００３５】
上記（１１）の緊急放送受信サポートシステムでは、（１０）の緊急放送受信サポートシステムにおいて特に、放送受信装置の制御部は、リモートコントロール信号受信部で受信される、例えば当初は電源をオンにするための信号などである、逐次のリモートコントロール信号に応じて所定の動作を行うための制御を実行すると共に当該緊急放送の視聴を可能にするための段階的動作に対応した、例えば電源をオンにするといった現段階の動作に次ぐ放送波の切替動作等の、次段の動作のための操作要求指令をテレビジョン受像機の本体側通信部からリモートコントローラ側に逐次発信させるよう制御する。
【００３６】
（１２）前記放送受信装置の制御部は、前記リモートコントロール信号受信部で受信される逐次のリモートコントロール信号に応じて所定の動作を行うための制御を実行すると共に、当該実行された制御によっては緊急放送の視聴を可能にするための所定の段階的動作が適切に完了しないときには、当該所定の段階的動作に対応した操作要求指令を前記本体側通信部から逐次発信させ、当該実行された制御によって緊急放送の視聴を可能にするための所定の段階的動作が適切に完了したきには、当該所定の段階的動作における現段階の動作の次段の動作に対応した操作要求指令を前記本体側通信部から逐次発信させるよう制御することを特徴とする（１０）の緊急放送受信サポートシステム。
【００３７】
上記（１２）緊急放送受信サポートシステムでは、（１０）の緊急放送受信サポートシステムにおいて特に、放送受信装置の制御部は、そのリモートコントロール信号受信部で受信される、例えば或る段階では放送波の切替動作等の指示である、逐次のリモートコントロール信号に応じて所定の動作を行うための制御を実行すると共に、当該実行された制御によっては緊急放送の視聴を可能にするための、例えば放送波の切替動作等の、所定の段階的動作が適切に完了しないときには、当該所定の段階的動作に対応した操作要求指令を前記本体側通信部から繰り返し発信させ、当該実行された制御によって緊急放送の視聴を可能にするための所定の段階的動作が適切に完了したきには、当該所定の段階的動作における現段階の動作の次段の、例えばチャンネル切替のような、動作に対応した操作要求指令を本体側通信部から逐次発信させるよう制御する。
【００３８】
（１３）前記リモートコントローラの操作案内部は、該当する操作子を発光ないし点滅させるようにして案内動作を実行するように構成されていることを特徴とする（１０）の緊急放送受信サポートシステム。
上記（１３）の緊急放送受信サポートシステムでは、（１０）の緊急放送受信サポートシステムにおいて特に、リモートコントローラの操作案内部は、例えば半透明の部材の内部に発光素子を備えるような構造の操作ボタン等の、該当する操作子を、発光ないし点滅させるようにして案内動作を実行するように構成されているため、ユーザーはその時点で行うべき操作を瞬時に理解し戸惑うことなく操作を行うことができる。
【発明を実施するための最良の形態】
【００３９】
以下、本発明の実施の形態を図面を参照して説明する。尚、以下に参照する図においては、便宜上、説明の主題となる要部は適宜誇張し、要部以外については適宜簡略化ないし省略されている。
図１は、本発明の一実施の形態としての緊急放送受信サポートシステムの構成を表すブロック図である。図１において、緊急放送受信サポートシステム１０は、本発明の一実施の形態としてのテレビジョン受像機１００およびリモートコントローラ２００とを含んで構成されている。
【００４０】
図１において、テレビジョン受像機１００は、アンテナ１０１からテレビジョン放送を受信する受信部１１０と、この受信部１１０で受信されたテレビジョン放送の受信信号に含まれる緊急放送であることを表す緊急指標情報（緊急放送フラグ）に基づいて緊急放送が放送されていることを検出する緊急放送検出部１２０を有する。
受信部１１０については後述するが、緊急放送検出部１２０は受信部１１０で受信した信号中から緊急放送フラグに基づいて緊急放送が放送されていることを検出する。
【００４１】
テレビジョン受像機１００には、更に、緊急放送検出部１２０の出力に基づいて対応するリモートコントローラ２００に当該緊急放送の視聴を可能にするためのリモートコントローラ２００自体の操作を促す案内動作を実行させる操作要求指令を発する本体側通信部１３０（図では、単に「通信部」と表記）が備えられている。
この本体側通信部１３０は、例えばＩＥＥＥ８０２．１１ｂ、ＩＥＥＥ８０２．１１ｇ、ブルートゥース、または、ＺｉｇＢｅｅの何れかに準拠した短距離の免許の要らない通信方式によって通信を行うように構成され、このような短距離無線通信によって操作要求指令を発する。
【００４２】
ここでの操作要求指令とは、リモートコントローラ２００に対してテレビジョン受像機１００の電源をオンにしたり、放送波を選択切替したり、チャンネルを選択したりするための操作を行うように要求する趣旨の信号であり、後述するように、リモートコントローラ２００側ではこの操作要求指令を受けて、ユーザーに対してこれらの操作を行うように促す動作を行う。
本体側通信部１３０は、後述するシステムコントローラ１５０による制御下で本来的に機能するように構成される。
【００４３】
テレビジョン受像機１００には、更に、リモートコントローラ２００からの、例えば赤外光による、リモートコントロール信号を受信するリモートコントロール信号受信部１４０と、リモートコントロール信号受信部１４０で受信されたリモートコントロール信号に対応した所定の動作および上述の本体側通信部１３０の動作に係る制御を実行するための制御部としても機能するシステムコントローラ１５０と、が備えられている。
【００４４】
システムコントローラ１５０は、受信部１１０、緊急放送検出部１２０、本体側通信部１３０、およびリモートコントロール信号受信部１４０における信号の授受や処理に係る統括的管理機能を営み、例えばマイクロプロセッサを主体として構成される。
尚、上掲の受信部１１０は通常のデジタルテレビジョン装置における受信部と同様に、映像・音声データを含む高周波デジタル変調信号のうちから特定周波数の信号を取り出すチューナ部と、チューナ部から受け取ったデジタル変調信号を復調してトランスポート・ストリーム（図中「ＴＳ」と表記）を出力する復調部とを含んで構成される。このトランスポート・ストリームＴＳ中には、映像や音声の他、データコンテンツが多重されており、後段の処理系統、伝送系統を経て例えば液晶ないしはプラズマディスプレイ装置等の表示器での映像の表示に供される。
【００４５】
一方、リモートコントローラ２００は、テレビジョン受像機１００からの操作要求指令を受信するリモートコントローラ側通信部２３０（図では、単に「通信部」と表記）を有する。
このリモートコントローラ側通信部２３０は、上述のテレビジョン受像機１００側の本体側通信部１３０と対をなして通信（実施の形態では、多くは受信）を行うものであり、従って本体側通信部１３０と同様の、例えばＩＥＥＥ８０２．１１ｂ、ＩＥＥＥ８０２．１１ｇ、ブルートゥース、または、ＺｉｇＢｅｅの何れかに準拠した短距離の免許の要らない通信方式によって通信を行うように構成され、このような短距離無線通信によって本体側通信部１３０からの上述の操作要求指令を受信する。
【００４６】
リモートコントローラ２００は、更に、このリモートコントローラ側通信部２３０で受信した操作要求指令に応答して緊急放送の視聴を可能にするための当該リモートコントローラ２００自体の操作をユーザーに促す案内動作を実行するための制御を行う制御部としての機能を賄うシステムコントローラ２５０と、このシステムコントローラ２５０による制御下でユーザーに対する当該案内動作を行う操作案内部としても機能する複数の操作ボタン（即ち、後述する操作子群２１０）を備えた入力操作部２４０とを有する。
【００４７】
操作案内部としても機能する複数の操作ボタンを備えた入力操作部２４０は、例えば半透明の外殻部材の内部に発光素子を備えるような構造の操作ボタン等の、該当する操作子を、発光ないし点滅させるようにしてこのリモートコントローラ２００に対する操作の案内動作を実行するように構成されている。
これらの操作ボタンは、例えば、電源操作ボタン、放送波切替操作ボタン、チャンネル切替操作ボタン等々であり、要求される操作に該当するものが上述のように発光ないし点滅するように作動する。
【００４８】
リモートコントローラ２００は、更にまた、上述の操作案内部（入力操作部）２４０による、例えば発光ないし点滅等の、案内動作に応じて、自己に対する押圧操作等のユーザーによる操作が行われたときには、この操作に応じて、システムコントローラ２５０の制御下でテレビジョン受像機１００を操作するための、例えば赤外光による、リモートコントロール信号を発するリモートコントロール信号発信部２６０と、を備えている。
【００４９】
この実施の形態では、リモートコントローラ２００側のシステムコントローラ２５０はリモートコントローラ側通信部２３０、および、入力操作部２４０、リモートコントロール信号発信部２６０における信号の授受や処理に係る統括的管理機能を営み、例えばマイクロプロセッサを主体として構成される。
また、このシステムコントローラ２００の制御下で作動するようにブザー２７０が設けられ、例えば、テレビジョン受像機１００側から緊急放送を検出した当初に発信されてリモートコントローラ側通信部２３０で受信される操作要求指令に応答して電源ボタンが発光ないし点滅等の案内動作を行っているときに、併せて、警報音を奏鳴する。
【００５０】
図２および図３は、図１の緊急放送受信サポートシステムの動作を表す模式図を伴なったフローチャートであり、図３は図２に続く部分を表わしている。
図２および図３において、テレビジョン受像機１００側の動作については縦の中央の破線より左側に「デジタルテレビ側」と表記して示され、リモートコントローラ２００側の動作については縦の中央の破線より右側に「リモートコントローラ側」と表記して示されており、リモートコントローラ側については更に、その動作に関する模式図を伴なって示されている。
【００５１】
テレビジョン受像機１００は通常の如く、緊急放送については表示せずとも受信状態にあって（ステップＳ２０１）緊急放送フラグを常時モニタしており（ステップＳ２０２）、この緊急放送フラグが検出されたときには（ステップＳ２０２：あり）、その時点での自己（テレビジョン受像機１００自体）の状況を確認する（ステップＳ２０３）。
【００５２】
この状況確認動作で電源がオン状態にあるか否かが識別され（ステップＳ２０４）、電源がオン状態にないときには（ステップＳ２０４：Ｎｏ）、システムコントローラ１５０の管理下で本体側通信部１３０から、リモートコントローラ２００に対して、電源をオンにするためのリモートコントローラ２００側での操作を促す案内動作（ユーザーに対するガイド）を実行させる操作要求指令（「電源オン要求」）を発する（ステップＳ２０５）。
【００５３】
テレビジョン受像機１００側（その本体側通信部１３０）から発せられた「電源オン」の操作要求指令はリモートコントローラ２００側（リモートコントローラ側通信部２３０）で受信され（ステップＳ２５１）、リモートコントローラ２００側では、次いで、電源オンの操作をユーザーに促すための案内動作（「電源オン操作案内」と表記）が実行される（ステップＳ２５２）。
【００５４】
ステップＳ２５２の電源オンのための案内動作は、フローチャート右上段のリモートコントローラ２００の模式図に象徴的に表わされたように、例えば、半透明の外殻部材の内部に発光素子を有して構成される複数の操作子を含む操作子群２１０のうちの電源ボタン２１１（表面に“ＰＷ”の文字表記を伴なう）を発光ないし点滅表示するようにして実行される。
【００５５】
既述のように、この発明の一つの実施の形態では、リモートコントローラ側通信部２３０で受信される操作要求指令に応答して電源ボタン２１１が発光ないし点滅等の案内動作を行っているときに、併せて、リモートコントローラ２００のシステムコントローラ２５０の制御下で作動するブザー２７０が警報音を奏鳴する。
【００５６】
ステップＳ２５２の案内動作に応じて、ユーザーが電源ボタン２１１を押圧する等の操作を実行するまで待機し（ステップＳ２５３：なし）、押圧操作が行われると（ステップＳ２５３：あり）、これに応答して、リモートコントローラ２００側のシステムコントローラ２５０の管理下でリモートコントロール信号発信部２６０から赤外光によるリモートコントロール信号（「電源オン指令」）が発せられる（ステップＳ２５４）。
【００５７】
上述のようにしてリモートコントローラ２００側から発せられた赤外光によるリモートコントロール信号はテレビジョン受像機１００側のリモートコントロール信号受信部１４０で受信され（ステップＳ２０６「電源オン指令受信」）、受信された信号に対応する情報がテレビジョン受像機１００側のシステムコントローラ１５０で認識されて、このシステムコントローラ１５０の管理下で、電源オン動作が実行される（ステップＳ２０７）。
【００５８】
ステップＳ２０７で電源オン動作が実行されると、システムコントローラ１５０の管理下で、現在受信されている放送波は緊急放送の受信に適合するか否かが判定される（ステップＳ２０８）。尚、ステップＳ２０４で、既に電源オン状態にあると判定されたとき（ステップＳ２０４：Ｙｅｓ）にも、直ちに、このステップＳ２０８に移行する。
【００５９】
ステップＳ２０８で、現在受信されている放送波は緊急放送の受信に適合しないと判定されたときには（ステップＳ２０８：Ｎｏ）、リモートコントローラ２００に対して、受信されている放送波を緊急放送の受信に適合するように切替るためのリモートコントローラ２００側での操作を促す案内動作（ユーザーに対するガイド）を実行させる操作要求指令（「放送波切替要求」）を発する（ステップＳ２０９）。
【００６０】
テレビジョン受像機１００側の本体側通信部１３０から発せられた「放送波切替要求」の操作要求指令はリモートコントローラ２００側（リモートコントローラ側通信部２３０）で受信され（ステップＳ２６１）、リモートコントローラ２００側では、次いで、放送波切替の操作をユーザーに促すための案内動作（「切替操作案内」と表記）が実行される（ステップＳ２６２）。
【００６１】
ステップＳ２６２の放送波切替のための案内動作は、フローチャート右中段のリモートコントローラ２００の模式図に象徴的に表わされたように、例えば、半透明の外殻部材の内部に発光素子を有して構成される複数の操作子を含む操作子群２１０のうちの、例えば放送波を地上デジタル放送に切換える切替ボタン２１２（表面に“ＴＢ”の文字表記を伴なう）を発光ないし点滅表示するようにして実行される。
【００６２】
ステップＳ２６２の案内動作に応じて、ユーザーが切替ボタン２１２を押圧する等の操作を実行しないときには後述するステップＳ２８０に移行し（ステップＳ２６３：なし）、押圧操作が行われると（ステップＳ２６３：あり）、これに応答して、リモートコントローラ２００側のシステムコントローラ２５０の管理下でリモートコントロール信号発信部２６０から赤外光によるリモートコントロール信号（「切替指令」）が発せられる（ステップＳ２６４）。
【００６３】
上述のようにしてリモートコントローラ２００側から発せられた赤外光によるリモートコントロール信号はテレビジョン受像機１００側（そのリモートコントロール信号受信部１４０）で受信され（ステップＳ２１０「切替指令受信」）、受信された信号に対応する情報がテレビジョン受像機１００側のシステムコントローラ１５０で認識されて、このシステムコントローラ１５０の管理下で、放送波を切替るための動作が実行される（ステップＳ２１１）。
【００６４】
このステップＳ２１１で一旦放送波を切替るための動作が実行されると、次いで、ステップＳ２０８に戻って、ステップＳ２１１での放送波切替動作によって、切替後に受信されている放送波は緊急放送の受信に適合するか否かが判定される（ステップＳ２０８）。
上述の判定の結果、切替後に受信されている放送波が緊急放送の受信に適合するものに切替っていると判定されたときには（ステップＳ２０８：Ｙｅｓ）、次いで、ステップＳ２１２に移行する。
【００６５】
一方、切替後に受信されている放送波が緊急放送の受信に適合するものに切替ってないと判定されたときには（ステップＳ２０８：Ｎｏ）、上述したステップＳ２０９以降の動作を繰り返す。
ステップＳ２１２では、システムコントローラ１５０の管理下で、現在選択されているチャンネル（フローチャートではチャンネルを「ＣＨ」と略記）は緊急放送を視聴するに適切なものであるか否かが判定される（ステップＳ２１２）。尚、ステップＳ２０８で、既に放送波の選択が適切な状態にあると判定されたとき（ステップＳ２０８：Ｙｅｓ）にも、直ちに、このステップＳ２１２に移行する。
【００６６】
ステップＳ２１２で、現在選択されているチャンネルは緊急放送の視聴に適合しないと判定されたときには（ステップＳ２１２：Ｎｏ）、リモートコントローラ２００に対して、選択されているチャンネルを緊急放送の視聴に適合するように切替るためのリモートコントローラ２００側での操作を促す案内動作（ユーザーに対するガイド）を実行させる操作要求指令を発する（ステップＳ２１３）。
【００６７】
テレビジョン受像機１００側（その本体側通信部１３０）から発せられた「チャンネル（ＣＨ）切替要求」の操作要求指令はリモートコントローラ２００側のリモートコントローラ側通信部２３０で受信され（ステップＳ２７１）、リモートコントローラ２００側では、次いで、チャンネル切替の操作をユーザーに促すための案内動作（「ＣＨ切替操作案内」と表記）が実行される（ステップＳ２７２）。
【００６８】
ステップＳ２７２のチャンネル切替のための案内動作は、フローチャート右下段のリモートコントローラ２００の模式図に象徴的に表わされたように、例えば、半透明の外殻部材の内部に発光素子を有して構成される複数の操作子を含む操作子群２１０のうちの、例えばチャンネルを第３チャンネルに切換える切替ボタン２１３（表面に“３”の文字表記を伴なう）を発光ないし点滅表示するようにして実行される。
【００６９】
ステップＳ２７２の案内動作に応じて、ユーザーがチャンネル切替ボタン２１３を押圧する等の操作を実行しないときには後述するステップＳ２８０に移行し（ステップＳ２７３：なし）、押圧操作が行われると（ステップＳ２７３：あり）、これに応答して、リモートコントローラ２００側のシステムコントローラ２５０の管理下でリモートコントロール信号発信部２６０から赤外光によるリモートコントロール信号（「ＣＨ切替指令」）が発せられる（ステップＳ２７４）。
【００７０】
ステップＳ２７４で上述のようにしてリモートコントローラ２００側から発せられた赤外光によるリモートコントロール信号は、テレビジョン受像機１００側のリモートコントロール信号受信部１４０で選択され（ステップＳ２１４「ＣＨ切替指令受信」）、受信された信号に対応する情報がテレビジョン受像機１００側のシステムコントローラ１５０で認識されて、このシステムコントローラ１５０の管理下で、チャンネルを切替るための動作が実行される（ステップＳ２１５）。
【００７１】
このステップＳ２１５で一旦チャンネルを切替るための動作が実行されると、次いで、ステップＳ２１２に戻って、ステップＳ２１５でのチャンネル切替動作によって、切替後に選択されているチャンネルは緊急放送の視聴に適合するか否かが判定される（ステップＳ２１２）。
上述の判定の結果、切替後に選択されているチャンネルが緊急放送の視聴に適合するものに切替っていると判定されたときには（ステップＳ２１２：Ｙｅｓ）、次いで、ステップＳ２１６（図３）に移行する。
【００７２】
一方、切替後に選択されているチャンネルが緊急放送の視聴に適合するものに切替ってないと判定されたときには（ステップＳ２１２：Ｎｏ）、上述したステップＳ２１３以降の動作を繰り返す。
ステップＳ２１６では、システムコントローラ１５０の管理下で、現在調整されている音量は緊急放送を視聴するに適切なものであるか否かが判定される（ステップＳ２１６）。
【００７３】
尚、ステップＳ２１２で、既にチャンネルの選択が適切な状態にあると判定されたとき（ステップＳ２０８：Ｙｅｓ）にも、直ちに、このステップＳ２１６に移行する。
ステップＳ２１６で、現在調整されている音量は緊急放送の視聴に適合しないと判定されたときには（ステップＳ２１６：Ｎｏ）、リモートコントローラ２００に対して、調整されている音量を緊急放送の視聴に適合するように調整するためのリモートコントローラ２００側での操作を促す案内動作（ユーザーに対するガイド）を実行させる操作要求指令（「音量調整要求」）を発する（ステップＳ２１７）。
【００７４】
テレビジョン受像機１００側の本体側通信部１３０から発せられた「音量調整要求」の操作要求指令はリモートコントローラ２００側のリモートコントローラ側通信部２３０で受信され（ステップＳ２８１）、リモートコントローラ２００側では、次いで、音量調整の操作をユーザーに促すための案内動作（「音量調整操作案内」と表記）が実行される（ステップＳ２８２）。
【００７５】
ステップＳ２８２の音量調整のための案内動作は、フローチャート右上段（図３）のリモートコントローラ２００の模式図に象徴的に表わされたように、例えば、半透明の外殻部材の内部に発光素子を有して構成される複数の操作子を含む操作子群２１０のうちの、例えば音量を大きくするように調整する調整ボタン２１４（表面に“＋”の文字表記を伴なう）を発光ないし点滅表示するようにして実行される。
【００７６】
ステップＳ２８２の案内動作に応じて、ユーザーが音量調整ボタン２１４を押圧する等の操作を実行しないときには後述するステップＳ２８０に移行し（ステップＳ２８３：なし）、押圧操作が行われると（ステップＳ２８３：あり）、これに応答して、リモートコントローラ２００側のシステムコントローラ２５０の管理下でリモートコントロール信号発信部２６０から赤外光によるリモートコントロール信号（「音量調整指令」）が発せられる（ステップＳ２８４）。
【００７７】
ステップＳ２８４で上述のようにしてリモートコントローラ２００側から発せられた赤外光によるリモートコントロール信号はテレビジョン受像機１００側のリモートコントロール信号受信部１４０で受信され（ステップＳ２１８「音量調整指令受信」）、受信された信号に対応する情報がテレビジョン受像機１００側のシステムコントローラ１５０で認識されて、このシステムコントローラ１５０の管理下で、音量を調整するための動作が実行される（ステップＳ２１９）。
【００７８】
このステップＳ２１９で一旦音量を調整するための動作が実行されると、次いで、ステップＳ２１６に戻って、ステップＳ２１９での音量調整動作によって、調整後に調整されている音量は緊急放送の視聴に適合するか否かが判定される（ステップＳ２１６）。
上述の判定の結果、調整後に調整されている音量が緊急放送の視聴に適合するレベルに調整されていると判定されたときには（ステップＳ２１６：Ｙｅｓ）、次いで、ステップＳ２２０に移行する。
【００７９】
一方、調整後に調整されている音量が緊急放送の視聴に適合するレベルに調整されてないと判定されたときには（ステップＳ２１６：Ｎｏ）、上述したステップＳ２１７以降の動作を繰り返す。
ステップＳ２１６からステップＳ２２０に移行したときには、前段までの動作（操作）によって緊急放送の視聴に適合する調整が完了した状態で、テレビジョン受像機１００に適用される既述のような表示器に、緊急放送の表示が行われ、音声が出力される。
【００８０】
一方、この実施の形態では、上述のステップＳ２６３で切替操作が、その操作が促されている時間中に、行われなかったと判定されたとき（ステップＳ２６３：Ｎｏ）、ステップＳ２７３でチャンネル切替操作が、その操作が促されている時間中に、行われなかったと判定されたとき（ステップＳ２７３：Ｎｏ）、および、ステップＳ２８３での音量調整操作が、その操作が促されている時間中に、行われなかったと判定されたとき（ステップＳ２８３：Ｎｏ）には、一応、電源はオンにされている状態であるので（ステップＳ２０４：Ｙｅｓ）、一定時間待機して（ステップＳ２８０）、その待機時間経過後には、テレビジョン受像機１００に適用される表示部に緊急放送の表示を行うようにしている（ステップＳ２２０）。
【００８１】
ステップＳ２２０で緊急放送の表示が開始された状態で、テレビジョン受像機１００の受信部１１０およびシステムコントローラ１５０との共働によりデータ放送が放送されているか否かが判定される（ステップＳ２２１）。
ステップＳ２２１でデータ放送が放送されていると判定されたときには（ステップＳ２２１：Ｙｅｓ）、リモートコントローラ２００に対して、データ放送の視聴を行えるようにするためのリモートコントローラ２００側での操作を促す案内動作（ユーザーに対するガイド）を実行させる「データ放送案内表示」の要求指令を発する（ステップＳ２２２）。
【００８２】
テレビジョン受像機１００側の本体側通信部１３０から発せられた「案内表示要求」の操作要求指令はリモートコントローラ２００側（リモートコントローラ側通信部２３０）で受信され（ステップＳ２９１）、リモートコントローラ２００側では、次いで、データ放送視聴のための操作をユーザーに促すための案内動作（「データ放送案内表示」と表記）が実行される（ステップＳ２９２）。
【００８３】
ステップＳ２９２のデータ放送視聴のための案内動作は、フローチャート右下段（図３）のリモートコントローラ２００の模式図に象徴的に表わされたように、例えば、半透明の外殻部材の内部に発光素子を有して構成される複数の操作子を含む操作子群２１０のうちの、例えばデータ放送を視聴するための選択ボタン２１５（表面に“ｄ”の文字表記を伴なう）を発光ないし点滅表示するようにして実行される。
【００８４】
以上で緊急放送を視聴することができるようになるまでの操作については一通り説明がなされており、以降のより細部のないしは任意的に選択され得るような操作については説明を省略する。
ステップＳ２２１でデータ放送が放送されていないと判定されたときには（ステップＳ２２１：Ｎｏ）、データ放送でなく緊急放送の通常の表示を継続する（ステップＳ２２３）。
【００８５】
爾後、適宜のタイマー等で時限動作を行う等の動作に基づいて緊急放送の表示状態を継続するか（「緊急放送継続」と表記）否かを判断し（ステップＳ２２４）、継続すべきと判断したときには（ステップＳ２２４：Ｙｅｓ）、ステップＳ２２３に戻って表示を継続し、一方、継続すべきでないと判断したときには（ステップＳ２２４：Ｎｏ）、デジタルテレビジョン受像機１００のシステムコントローラ１５０の管理下で電源オフを実行して（ステップＳ２２５）、動作を終了する。
【００８６】
尚、上述の実施の形態では、放送波の切替、チャンネルの切替、音量の調整等々は
ユーザーによるリモートコントローラ２００への逐次の操作を俟ってこれらを行い、従って、これらの操作（従って、テレビジョン受像機１００での対応動作）が確認されて、逐次の動作が実行され、一方で、一旦電源がオンにされたら、それ以降は一定の時間待機しても何等の操作もなされないときにも、緊急放送の表示が自動的になされて、これの視聴ができるというものであった。
【００８７】
しかしながら、本発明は、以上のような実施の形態に限られず、各段階の操作は、あくまでもユーザーの操作を俟って行うようにし、さらに、一つの実施の形態では、リモートコントローラ２００において、操作子（押しボタン）の発光ないし点滅によって各段の操作を促す動作を行っているときに、並行して、ブザー２７０を奏鳴させるように構成してもよい。
【００８８】
また、このようにしてユーザーに操作を促しても所定時間内に操作が行われないときには、電源をオフにするように構成し、これによって、ユーザーが電源をオンにした後にそのまま避難してしまっても所定時間経過後には自動的に電源が切れ、テレビジョン受像機に関する安全確保が優先的に図られるようにすることも考えられる。
尚、上述において、ブザー２７０を奏鳴させるのは、各段階的操作に関して、操作子（押しボタン）の発光ないし点滅が一定時間以上継続したときに限ってこれを行うようにして、各段階における所要の操作が一定時間内に行われる場合でも無用の騒音を発してしまうといった不都合が発生してしまうことを回避するようにしてもよい。
【００８９】
更に、以上において説明した緊急放送受信サポートシステムにおけるテレビジョン受像機は、これに替えて、例えば、セットトップボックス或いはデジタルテレビチューナ内蔵型ＨＤＤレコーダ等の、放送受信装置を適用し、これらに対応するリモートコントローラを含んで本発明の緊急放送受信サポートシステムを構成することができる。
【００９０】
この場合も、図を参照して説明した実施の形態における場合と全く同様に、セットトップボックス或いはデジタルテレビチューナ内蔵型ＨＤＤレコーダ等の放送受信装置とこれに対応するリモートコントローラとの間で信号の授受を行って、緊急放送の視聴に到るための所要のステップの操作を当該放送受信装置側からリモートコントローラ側に要求すると共に、リモートコントローラ側でユーザーにそれら各ステップの操作を促す案内動作を行うことによって、ユーザーを緊急放送視聴可能な状態に到れるように誘導することができる。
【００９１】
以上を総じて、本発明によれば、無人状態の環境でテレビジョン受像機等の緊急放送受信装置ないしシステムが自動起動してその作動を継続するといった不都合が生じてしまう虞がなく、且つ、被災してパニックに陥ったユーザーやこの種の複雑化した装置に馴染みの薄いユーザー等であっても必要なときに直ちに緊急放送を視聴できる状態に辿り着くまでの操作を確実に行うことのできる緊急放送受信サポートシステム、テレビジョン受像機、および、リモートコントローラを提供することができる。
【図面の簡単な説明】
【００９２】
【図１】本発明の一実施の形態としての緊急放送受信サポートシステムの構成を表すブロック図である。
【図２】図１の緊急放送受信サポートシステムの動作を表す模式図を伴なったフローチャートである。
【図３】図１の緊急放送受信サポートシステムの動作を表す模式図を伴なったフローチャート（図２に続く部分）である。
【符号の説明】
【００９３】
１０…緊急放送受信サポートシステム  １００…テレビジョン受像機  １０１…アンテナ  １１０…受信部  １２０…緊急放送検出部  １３０…本体側通信部  １４０…リモートコントロール信号受信部  １５０…システムコントローラ  ２００…リモートコントローラ  ２１０…操作子群  ２１１…電源ボタン  ２１２…切替ボタン  ２１３…切替ボタン  ２１４…調整ボタン  ２１５…選択ボタン  ２３０…リモートコントローラ側通信部  ２４０…入力操作部（操作案内部）  ２５０…システムコントローラ  ２６０…リモートコントロール信号発信部  ２７０…ブザー
【図１】
2007214945.tif 000003
【図２】
2007214945.tif 000004
【図３】
2007214945.tif 000005